(57)【要約】【課題】薄板シートを容易且つ綺麗に切断できる切断具を提供すると共にロール状に巻回された薄板シートの使用終了後、何度も使用可能な収納容器を提供する。【解決手段】側端縁に鋸歯状刃が形成された金属板を山形状に折り曲げてシート切断具を構成し、山形状の下端にある単一素子刃の刃先だけを数カ所でシートに当接させ、外部力を数カ所の刃先に集中させる。側面長手方向に長孔の設けられた筒状の収納容器の開放端からロール状に巻回されたシートの先端を長孔に挿入しながら、収納容器に回転自在に収納し、押圧具を収納容器の長軸と垂直方向に移動自在に設け、この押圧具と対向する収納容器の一部にシート支持部を設け、シート支持部或は押圧具の少なくとも一方にシートの滑止部を設ける。シートを使用し終わっても、収納容器を何度でも使用できる。【選択図】                図１
2005186236.tif 000002
【特許請求の範囲】
【請求項１】
側端縁に鋸歯状刃が形成された金属等の堅固材よりなる第１及び第２基板を所定の角度をもって山形状に配設したシート切断具。
【請求項２】
前記鋸歯状刃を構成する単一素子刃の形状が前記第１基板と第２基板では逆になるように形成された請求項１に記載のシート切断具。
【請求項３】
前記鋸歯状刃を構成する単一素子刃のV字型形状は、前記第１基板或は第２基板の長手軸方向と直交し且つV字型の頂点を通る中心線に関して前記第１及び第２基板よりなる山形の下端側の傾斜が該山形状の頂上側よりも急峻に形成された請求項２に記載のシート切断具。
【請求項４】
第１及び第２基板が連接して形成された請求項１に記載のシート切断具。
【請求項５】
第１及び第２基板よりなる山型を複数個備えるシート切断具。
【請求項６】
側面長手方向に長孔の設けられた筒状の収納容器と、該収納容器の一端に設けられた凸部或いは凹部よりなる第１回転支持部と、該回転支持部と対向する収納容器の開放端に着脱自在に装着され、且つ凸部或いは凹部よりなる第２回転支持部が設けられた施蓋部と、前記収納容器の一部に該収納容器の長軸と垂直方向に移動自在に設けられ、且つ該収納容器の表面に接近させた際、該表面に沿うように設けられた押圧具と、該押圧具と対向する収納容器の一部に設けられた可撓性のシート支持部と、前記押圧具の先端に配設されたシート切断具とを備え、筒状に巻回されたシートが前記収納容器の開放端から前記収納容器に挿入され、前記第１回転支持部と前記施蓋部に設けられた第２回転支持部とにより回転自在に支持され、前記シートの先端が前記収納容器の長孔から取り出されて収納容器の表面に沿って配置される際、前記押圧具の先端に配設されたシート切断具によりシートが切断されるシート収納容器。
【請求項７】
前記シート支持部或は前記押圧具の少なくとも一方において、前記シート支持部と前記押圧具との対向する面の少なくとも一方にシートの滑止部を設けた請求項６に記載のシート収納容器。
【請求項８】
前記シート支持具の上面にシート圧接取出用凹部を設けた請求項６に記載のシート収納容器。
【請求項９】
前記シート切断具は、前記第１及び第２基板を所定の角度をもって山形状に配設したシート切断具である請求項６に記載のシート収納容器。
【請求項１０】
前記第１回転支持部或は第２回転支持部の少なくともいずれか一方は先端に向かって先端の径が細くなるように傾斜部が設けられている請求項６に記載のシート収納容器。
【請求項１１】
前記傾斜部の少なくとも一部に前記シートの巻回芯管の逆転防止用の刻設突部が設けられている請求項１０に記載のシート収納容器。
【請求項１２】
前記シート切断具をシートに当接する際、シート切断具の鋸歯状刃の先端近傍において収納容器に段部を設けた請求項６に記載のシート収納容器。
【発明の詳細な説明】
【技術分野】
【０００１】
本発明はシート切断具とそれを用いるシート収納容器に関するものである。更に詳述すると、合成樹脂製のラップシート、アルミフォイル、合成樹脂製テープ、包装用粘着テープ等の薄い可撓性シートを容易且つ綺麗に切断できるシート切断具を提供すると共に、薄板シートの筒状巻回体が回転自在に収納でき、然も前記切断具を用いて筒状に巻回されたシートを容易に切断出来るようになされたシート収納容器を提供するものである。
【背景技術】
【０００２】
従来、筒状（ロール状）に巻回されたラップシートは一側面が開放された紙製の直方体収納容器に収納されて使用されるが、その収納容器の前記一側面の開口端にはアルミ等の金属製の鋸歯状刃が配設されている。収納容器の開口端から外方に引き出されたシートはその鋸歯状刃で切断される。その際、鋸歯状刃は金属板の側縁に直線状に配設されているので、シートを切断する際、外部から加わる力は鋸歯状刃全体に分散されることになり、切断には強い力が必要となる。そこで、シートを外方に強く引っ張り、且つシートを少し捻り、シートの端縁に力が集中して加わるようにして、シートの幅方向の一端から他端まで順次に切断するようにしなければ、うまく切断出来ないし、また、一端から他端まで順次に切断して行くには時間を要するという問題がある。また、シートを外方に強く引っ張り、且つシートを少し捻って一端から他端まで順次に切断するので、切断し終わった途端に、シートの端が跳ね返り、シートの他の面に付着して、付着をはがすのに手間がかかり、時には廃棄してしまうという問題があった。
【０００３】
従来、ラップシートは塩化ビニールで作られていたので、切断しやすく、且つこの材質は伸展性があるので、ラップ用の材料としては好適であった。しかし、塩化ビニールは燃焼させると、ダイオキシンが発生するので、外気環境を非常に悪くする。そこで、最近は塩化ビニールの代わりにポリプロピレンが使用されるようになったが、この材料は外気環境には良いが、丈夫なため切断し難いという欠点がある。そのため、上述のような問題が更に強く現れるようになっている。
【０００４】
このような問題を解決するために、同一平面上に且つ突形状に鋸歯状刃を金属板の側縁に設けるという技術がある。例えば、特公平４−１９０９２号には直方体の収納ケースの開口部に接合された蓋体の前端部には掩蓋片が設けられ、更に掩蓋片の裏面には突形状の金属製切断部材が設けられたラップシートの紙製収納ケースが開示されている。この従来例では、シートを外方に引っ張る力の掛け具合によりシートの切断個所が直線状にならないという問題がある。
【０００５】
また上述のような従来例では巻回されたラップシートを使い終わると、紙製の収納容器を捨ててしまっている。ラップシートは多くの家庭で使用されるので、全国では収納容器の使用個数は莫大な個数となり、通常はこの大量の収納容器を塵として燃焼させており、大事な資源を無駄に浪費することになり、しかも収納容器の燃焼により地球環境を悪くしてしまうという問題が発生する。
【特許文献１】特公平４−１９０９２号
【発明の開示】
【発明が解決しようとする課題】
【０００６】
上述のように従来例では、鋸歯状刃が直線状に配設されているので、ラップシートを切断する際、シートを外方に強く引っ張り、且つシートを少し捻って一端から他端まで順次に切断するようにしなければ、うまく切断出来ない。また、一端から他端まで順次に切断するので、切断に時間を要するという問題がある。本発明はこれらの問題をすべて解決できるシート切断具を提供するものであり、少しの力で然も瞬時にシートを切断できるので、シート切断直後にシートが跳ね返るという問題も解決し、更に、本発明の収納容器はロール状に巻回されたシートを使い終えても、その収納容器にロール状に巻回された新たなシートを装着して何度でも使用できる技術を提供することを目的としている。
【課題を解決するための手段】
【０００７】
上記の目的を達成するために、請求項１に記載のシート切断具は、側端縁に鋸歯状刃が形成された金属等の堅固材よりなる第１及び第２基板を所定の角度をもって山形状に配設している。
【０００８】
また、請求項２に記載のシート切断具は、鋸歯状刃を構成する単一素子刃の形状が前記第１基板と第シート切断具２基板では逆になるように形成されている。
【０００９】
更に、請求項３に記載のシート切断具は、鋸歯状刃を構成する単一素子刃のV字型形状が、第１基板或は第２基板の長手軸方向と直交し且つV字型の頂点を通る中心線に関して前記第１及び第２基板よりなる山形の下端側の傾斜が該山形状の頂上側よりも急峻に形成されている。
【００１０】
更にまた、請求項４に記載のシート切断具は第１及び第２基板が連接して形成されている。
【００１１】
また、請求項５に記載のシート切断具は第１及び第２基板よりなる山型を複数個備えている。
【００１２】
請求項６に記載のシート収納容器は、側面長手方向に長孔の設けられた筒状の収納容器と、その収納容器の一端に設けられた凸部或いは凹部よりなる第１回転支持部と、その回転支持部と対向する収納容器の開放端に着脱自在に装着され、且つ凸部或いは凹部よりなる第２回転支持部が設けられた施蓋部と、収納容器の一部にその収納容器の長軸と垂直方向に移動自在に設けられ、且つその収納容器の表面に接近させた際、その表面に沿うように設けられた押圧具と、その押圧具と対向する収納容器の一部に設けられた可撓性のシート支持部と、押圧具の先端に配設されたシート切断具とを備え、筒状に巻回されたシートが収納容器の開放端から収納容器に挿入され、第１回転支持部と施蓋部に設けられた第２回転支持部とにより回転自在に支持され、シートの先端が収納容器の長孔から取り出されて収納容器の表面に沿って配置される際、押圧具の先端に配設されたシート切断具によりシートが切断される。
【００１３】
また、請求項７に記載のシート収納容器は、前記シート支持部或は前記押圧具の少なくとも一方において、シート支持部と押圧具との相対向する面の少なくとも一方にシートの滑止部が設けられている。
【００１４】
なおまた、請求項８に記載のシート収納容器は、前記シート支持具の上面にシート圧接取出用凹部が設けられている。
【００１５】
更に、請求項９に記載のシート収納容器は、前記シート切断具が前記第１及び第２基板を所定の角度をもって山形状に配設されている。
【００１６】
また、請求項１０に記載のシート収納容器は、前記第１回転支持部或は第２回転支持部の少なくともいずれか一方は先端に向かって先端の径が細くなるように傾斜部が設けられている。
【００１７】
更に、請求項１１に記載のシート収納容器は、回転支持部の傾斜部の少なくとも一部にシートの巻回芯管の逆転防止用の刻設突部が設けられている。
【００１８】
更にまた、請求項１２に記載のシート収納容器は、前記シート切断具をシートに当接する際、シート切断具の鋸歯状刃の先端近傍において収納容器に段部が設けられている。
【発明の効果】
【００１９】
本発明のシート切断具は、側端縁に鋸歯状刃が形成された金属等の堅固材よりなる第１及び第２基板を所定の角度をもって山形状に配設してあるので、シートを切断する際、山形状の下端にある単一素子刃の刃先だけが数カ所でシートに当接するだけであり、そのため切断のために鋸歯状刃に外部から加わる力は数カ所の刃先に集中して加わることになる。また、山形状の下端にある鋸歯状刃から順次シートに当接してゆくので、外部から加える力は少なくても、容易にシートを切断できる。従って、従来のように、シートを捻ったりする必要はない。
【００２０】
本発明のシート収納容器は、側面長手方向に長孔の設けられた筒状の収納容器の開放端からロール状に巻回されたシートの先端を長孔に挿入しながら、収納容器に回転自在に収納するので、シートを使用し終わっても、収納容器を何度でも使用できる。
また、押圧具が収納容器の長軸と垂直方向に移動自在に設けられ、且つ収納容器の表面に接近させた際、その表面に沿うように設けられており、この押圧具と対向する収納容器の一部に可撓性のシート支持部が設けられており、このシート支持部或は押圧具の少なくとも一方において、前記シート支持部と押圧具との対向する面の少なくとも一方にシートの滑止部が設けられているので、シート切断時にシートが滑ることはない。また、シート支持具の上面にシート圧接取出用凹部を設けた場合にはシートを取出しやすい。
ロール状のシートを収納容器に収納する際、第１回転支持部或は第２回転支持部の少なくともいずれか一方は先端に向かって先端の径が細くなるように傾斜部が設けられているので、収納容器に収納しやすい。また、その傾斜部の一部にシートの巻回芯管の逆転防止用の刻設突部が設けられる場合には、シートが収納容器内に逆戻りすることはない。更にまた、シート切断具をシートに当接する際、シート切断具の鋸歯状刃の先端近傍において収納容器に段部を設けた場合には、シートに引っ張る力が効率的に加わるので、シートをスムーズに切断することが出来る。
【発明を実施するための最良の形態】
【００２１】
次に本発明の実施の形態を図面を参照しつつ説明する。
図１は本発明のシート切断具１を示す斜視図である。同図において、金属や硬質合成樹脂等の堅固材よりなる帯状板２は折り曲げられて、第１基板Aと第２基板Bを構成している。この第１基板Aと第２基板Bは、所定の角度をもって山形状に折り曲げられている。第１基板A及び第２基板Bの側端縁には鋸歯状刃３及び３’が形成されている。この鋸歯状刃３及び３’を構成するそれぞれ第１基板AのV字型形状の単一素子刃ａ１，ａ２、……ａｎ、及び第２基板Ｂの単一素子刃ｂ１、ｂ２、……ｂnは２等辺三角形状にしても良いが、図示の如く、それぞれ単一素子刃ａ１及びｂ１の下端側の辺ｄ及び辺ｆの傾斜を急峻にする方が好ましい。即ち、例えば、単一素子刃ａ１について考えると、第１基板Ａの長手軸ｍと直交し且つＶ字型の頂点Ｃ１を通る中心線ｋ１に関して、第１基板Ａの下端Ｑ側の辺dの傾斜（角α）が山形状の頂上Ｐ側の辺ｅの傾斜（角β）よりも急峻に形成されている。即ち、角α＜角βに形成されている。同様に、単一素子刃ｂ１について考えると、第２基板Ｂの長手軸ｎと直交し且つＶ字型の頂点Ｃ２を通る中心線ｋ２に関して，第２基板Ｂの下端Ｒ側の辺ｆの傾斜（角γ）が山形状の頂上Ｐ側の辺ｇの傾斜（角δ）よりも急峻に形成されている。即ち、角γ＜角δに形成されている。また、頂上Ｐを通り下端Ｑ，Ｒを結ぶ線に直交する線ｋ３に関して、第１基板の鋸歯状刃３と第２基板の鋸歯状刃３’が対象の波形をしている方が好ましい。
【００２２】
なお、この一実施例では単一素子刃の高さhは１．３ｍｍ、帯状板２の幅Ｗは８ｍｍ、山形の高さＨは４ｍｍ、山形状の下端ＱＲ間の距離Ｌは約３７ｍｍである。家庭用のラップシートは中型で幅が２２０mmあるので、切断具１の幅（６個の山形の連接）はラップシートの幅よりも約２ｍｍ位大きい２２２ｍｍにしている。
【００２３】
実際には、このような第１基板Ａと第２基板Ｂよりなる山形が６個連接して切断具１が形成されている。この切断具１がシート４に当接する場合には、先ず、山形状の下端（例えば、Ｑ，Ｒ）が７箇所で当接するので、この７箇所に外方からの力が集中して加えられる。即ち当接する６組の単一素子刃ａ１及びｂ１に集中して力が加えられる。従って、少ない力でもって、スムーズにシート４が切断される。
【００２４】
また、鋸歯状刃３及び３’は、第１基板AのＶ字型形状の単一素子刃a１、a２、……ａｎ及び第２基板Bの単一素子刃ｂ１、b２、……ｂnの形状が山形の下端Ｑ及びＲ側の傾斜（角α及び角γ）が山形状の頂上Ｐ側の傾斜（角β及び角δ）よりも急峻に形成されているので、合成樹脂製のラップシート、アルミフォイル、合成樹脂製テープ、包装用粘着テープ等の薄い可撓性シート４は切断具１の下端Ｑ及びＲ側が当接すると、下端の単一素子刃ａ１，a２、……ａｎ、及び第２基板ｂの単一素子刃ｂ１、b２、……ｂnの外方の傾斜角が急峻であるので、非常に切断しやすい。尚、（５）、（５’）、（５”）は後述の押圧具に切断具１を装着するための取付孔である。
【００２５】
次に、本発明の収納容器について説明する。図２〜図７においては、シート４は透明であるので、透けた図面として記してある。
図２〜図７に示す如く、合成樹脂製の収納容器６は一端が閉成された円筒或は四角形の筒状体７に形成され、筒の閉端側には筒の内方に向かって凸部よりなる第１回転支持部８が設けられている。筒状体７の開放端９から連通して側面長手方向にスリット状の長孔１０が設けられている。筒状体７の開放端９は施蓋部１１で施蓋される。施蓋部１１には筒状体７の第１回転支持部８と対向する位置に凸部よりなる第２回転支持部１２が設けられている。長孔１０に隣接して筒状体７の一部にシート支持部１３が設けられている。このシート支持部１３は支持細部１３ａ及び１３ｂで筒状体７に連接支持されており、その他の部分は切り離されている。長孔１０の近傍には回転自在に係合される第１係合部１４ａ及び１４ｂ（図示せず）が設けられている。筒状体７の外形と近似形で且つシート支持部１３を覆う形状の押圧具１５が第１係合部１４ａ及び１４ｂに第２係合部１５ａ及び１５ｂにより回転自在に係合される。押圧具１５の先端には切断具１が装着されるが、その際、切断具の取付孔（５）（５’）（５”）に押圧具１５の取付用突起部（図示せず）を挿入して加熱溶融して固着させる。
【００２６】
紙管１６にロール状に巻回された巻回体１７のシート４を収納容器に収納するには次のようにする。即ち、図２に示すように、筒状体７の開放端９からロール状巻回体１７のシートを収納容器６に収納するが、その際、シート４の先端部を長孔１０に挿入しながら、収納容器の中へ収納し、収納容器の閉成端にある第１回転支持部８にシートの紙管１６を嵌合させる。その後、施蓋部１１の第２回転支持部１２をシートの紙管１６の他端に嵌合させながら、収納容器の開放端を施蓋する。尚、第１回転支持部８及び第２回転支持部１２は共に先端へ行くに従って径が細くなるように傾斜部８ａ、１２ａが設けられているので、第１回転支持部８及び第２回転支持部１２は共に紙管１６の内方へスムーズに入る。また、傾斜部部８ａ、１２ａにはシートのロールが逆転しないように逆転防止用の刻設突部１２ｂが設けられている。
【００２７】
次に収納容器からシート４を取り出すには次のようにする。即ち、収納容器から押圧具１５を開け、指先でシート支持部１３に設けたシート圧接取出用孔１８を目当てにシートの上から指で押しさげると、シートの先端部が持ち上がるので、それを摘み、所望の長さだけ引っ張り出す。次に、例えば、一方の手（左）でシートを引っ張り、右手指で押圧具１５を押すと、押圧具の内面には凸部からなるシート滑止部１９ａ，１９ｂ，１９ｃが設けてあり、これと対応するシート支持部１３の位置に凹欠孔よりなるシート滑止部２０ａ，２０ｂ，２０ｃが設けられており、これら両滑止部によりシート４はしっかり挟持されるので、シートが滑ることはない。また、切断具１の鋸歯状刃が当接する位置は凹んでおり、然も、シート支持部は支持細部１３ａ及び１３ｂで支持されているので、弾性を有し、シート支持部１３は合成樹脂製の可撓性であり、押圧具１５を押すと、弾性変形するので、スムーズにシートが切断される。更に、収納容器には鋸歯状刃の刃先に段部２１が設けられているので、刃先の近傍の段部でシートが支持されることになり、少しの引っ張る力でも効率ル良くシートが引っ張られ、よりスムーズにシートを切断できる。
【図面の簡単な説明】
【００２８】
【図１】本発明のシート切断具を示す要部の斜視図である。
【図２】本発明のシート収納具の斜視図である。
【図３】本発明のシート収納具の断面斜視図である。
【図４】本発明のシート収納具の斜視図である。
【図５】本発明のシート収納具の斜視図である。
【図６】本発明のシート収納具の斜視図である。
【図７】本発明のシート収納具の斜視図である。
【符号の説明】
【００２９】
１                      シート切断具
２                      帯状板
３、３’                鋸歯状刃
４                      シート
５                      取付孔
６                      収納容器
７                      筒状体
８                      第１回転支持部
９                      開放端
１０                    長孔
１１                    施蓋部
１２                    第２回転支持部
１３                    シート支持部
１３ａ，１３ｂ          支持細部
１４ａ，１４ｂ          第１係合部
１５ａ，１５ｂ          第２係合部
１６                      紙管
１７                      ロール状巻回体
１８                      シート圧接取出用孔
１９ａ、１９ｂ．１９ｃ    滑止部
２０ａ、２０ｂ、２０ｃ    滑止部
２１                      段部
Ａ                        第１基板
Ｂ                        第２基板
ａ１，ａ２，ａｎ          単一素子刃
ｂ１，ｂ２，ｂｎ          単一素子刃
ｍ                        長手軸
ｎ                        長手軸  
ｋ１                      中心線
ｋ２                      中心線
ｋ３                      直交線
【図１】
2005186236.tif 000003
【図２】
2005186236.tif 000004
【図３】
2005186236.tif 000005
【図４】
2005186236.tif 000006
【図５】
2005186236.tif 000007
【図６】
2005186236.tif 000008
【図７】
2005186236.tif 000009